(57)【特許請求の範囲】
【請求項１】
構造躯体から吊り下げられた天井材と、
前記構造躯体から吊り下げられた質量体と、
前記天井材と前記質量体との間に介在され、入力された振動により生じる回転動作に伴って前記振動を抑制する制震装置と、
を有し、
前記制震装置は、第１部材と、前記振動により前記第１部材と相対変位する第２部材と、前記第１部材と前記第２部材との間に設けられた減衰材と、を有し、
前記第１部材が前記天井材と連結されている天井材連結部と前記回転動作の回転中心との間隔、または、前記第２部材が前記質量体と連結されている質量体連結部と前記回転中心との間隔を調節可能であることを特徴とする天井構造。
【請求項２】
請求項１に記載の天井構造であって、
前記制震装置は、
前記第１部材と前記第２部材とが同軸にて回転する回転ダンパーを備え、
前記天井材連結部と前記質量体連結部のうちの一方は固着され、前記天井材連結部と前記質量体連結部のうちの他方はスライド可能かつ回転可能に連結されていることを特徴とする天井構造。
【請求項３】
請求項１に記載の天井構造であって、
前記制震装置は、前記第１部材と前記第２部材とが同軸にて回転する回転ダンパーを備え、
前記第１部材は、前記回転中心と前記天井材連結部との間隔を変更可能に前記天井材に連結される第１連結体を有し、
前記第２部材は、前記回転中心と前記質量体連結部との間隔を変更可能に前記質量体に連結される第２連結体を有していることを特徴とする天井構造。
【請求項４】
請求項２または請求項３に記載の天井構造であって、
前記回転ダンパーは、前記回転動作の軸方向に複数重ねて備えることが可能であることを特徴とする天井構造。  
【請求項５】
請求項１に記載の天井構造であって、
前記制震装置は、
前記第１部材と前記第２部材とが所定方向に相対移動する直動ダンパーを備え、
前記天井材連結部と前記質量体連結部のうちの一方は前記回転中心となるべく回転自在に連結され、前記天井材連結部と前記質量体連結部のうちの他方は、前記一方との間隔を変更すべくスライド可能かつ回転可能に連結されていることを特徴とする天井構造。
【請求項６】
請求項５に記載の天井構造であって、
前記直動ダンパーは、前記天井材連結部と前記質量体連結部とを繋ぐ方向と交差する方向に複数並べて備えることが可能であることを特徴とする天井構造。
【請求項７】
請求項１乃至請求項６のいずれかに記載の天井構造であって、
前記制震装置は、前記天井材上に水平に設置されていることを特徴とする天井構造。
【発明の詳細な説明】
【技術分野】
【０００１】
本発明は、天井構造に関する。
【背景技術】
【０００２】
ビル等の建築物においては、空調機や照明器具等の設備機器を、上層の構造躯体から吊り下げて支持し天井裏に配設することがある。また、構造躯体から吊り下げて支持された設備機器と、構造躯体から吊り下げて支持された天井材とを、一端が前記設備機器に接続され、他端が天井材に接続される連結部材と、連結部材の途中に設けられ水平方向の振動を吸収する減衰装置と、を介して連結した天井構造が知られている（例えば、特許文献１参照）。
【先行技術文献】
【特許文献】
【０００３】
【特許文献１】特開２０１５−４２３６号公報
【発明の概要】
【発明が解決しようとする課題】
【０００４】
減衰装置は、設置する場所や建物等に適した減衰力が、振動等による変位により発生するように設置する必要がある。このため、設備機器などの質量体と天井材との間に設けられる減衰装置にあっても適切な減衰力が発生するように調節可能として、より優れた耐震性を備える天井構造が望まれている。
【０００５】
本発明は、このような事情に鑑みてなされたものであり、より優れた耐震性を備える天井構造を提供することを目的とする。
【課題を解決するための手段】
【０００６】
かかる目的を達成するために本発明の天井構造は、
構造躯体から吊り下げられた天井材と、
前記構造躯体から吊り下げられた質量体と、
前記天井材と前記質量体との間に介在され、入力された振動により生じる回転動作に伴って前記振動を抑制する制震装置と、
を有し、
前記制震装置は、第１部材と、前記振動により前記第１部材と相対変位する第２部材と、前記第１部材と前記第２部材との間に設けられた減衰材と、を有し、
前記第１部材が前記天井材と連結されている天井材連結部と前記回転動作の回転中心との間隔、または、前記第２部材が前記質量体と連結されている質量体連結部と前記回転中心との間隔を調節可能であることを特徴とする。
【０００７】
このような天井構造によれば、第１部材により天井材と連結される天井材連結部と回転動作の回転中心との間隔を、または、第２部材により質量体と連結される質量体連結部と回転中心との間隔を調節すると、入力された振動により生じる回転動作に伴って振動を抑制する制震装置の回転量を調節することが可能である。このため、質量体と天井材との間に介在された制震装置により振動の減衰力を適切に調節することが可能である。このため、より耐震性に優れた天井構造を提供することが可能である。
【０００８】
かかる天井構造であって、
前記制震装置は、
前記第１部材と前記第２部材とが同軸にて回転する回転ダンパーを備え、
前記天井材連結部と前記質量体連結部のうちの一方は固着され、前記天井材連結部と前記質量体連結部のうちの他方はスライド可能かつ回転可能に連結されていることが望ましい。
【０００９】
このような天井構造によれば、天井材連結部と質量体連結部のうちの一方が固着され、他方はスライド可能かつ回転可能に連結されているので、振動により生じる回転動作を確実に回転ダンパーの回転として減衰力を発生させることが可能である。
【００１０】
かかる天井構造であって、
前記制震装置は、前記第１部材と前記第２部材とが同軸にて回転する回転ダンパーを備え、
前記第１部材は、前記回転中心と前記天井材連結部との間隔を変更可能に前記天井材に連結される第１連結体を有し、
前記第２部材は、前記回転中心と前記質量体連結部との間隔を変更可能に前記質量体に連結される第２連結体を有していることとしてもよい。
【００１１】
このような天井構造によれば、天井材に固定される第１連結体が前記回転中心と天井材連結部との間隔を変更可能であり、質量体に固定される第２連結体が回転中心と質量体連結部との間隔を変更可能なので、回転ダンパーにより生じる減衰力をより幅広く調節することが可能である。
【００１２】
かかる天井構造であって、
前記回転ダンパーは、前記回転動作の軸方向に複数重ねて備えることが可能であることが望ましい。
【００１３】
このような天井構造によれば、回転ダンパーを回転動作の軸方向に複数重ねることにより、より大きな減衰力を備えることが可能である。
【００１４】
かかる天井構造であって、
前記制震装置は、
前記第１部材と前記第２部材とが所定方向に相対移動する直動ダンパーを備え、
前記天井材連結部と前記質量体連結部のうちの一方は前記回転中心となるべく回転自在に連結され、前記天井材連結部と前記質量体連結部のうちの他方は、前記一方との間隔を変更すべくスライド可能かつ回転可能に連結されていることとしてもよい。
【００１５】
このような天井構造によれば、天井材連結部と質量体連結部のうちの一方が回転中心となるべく回転自在に連結され、他方はスライド可能かつ回転可能に連結されているので、天井材連結部と質量体連結部のうちの他方がスライドすることにより、振動により生じる回転動作にて確実に直動ダンパーを作動させて減衰力を発生させることが可能である。
【００１６】
かかる天井構造であって、
前記直動ダンパーは、前記天井材連結部と前記質量体連結部とを繋ぐ方向と交差する方向に複数並べて備えることが可能であることが望ましい。
【００１７】
このような天井構造によれば、直動ダンパーを天井材連結部と質量体連結部とを繋ぐ方向と交差する方向に複数並べることにより、より大きな減衰力を備えることが可能である。
【００１８】
かかる天井構造であって、
前記制震装置は、前記天井材上に水平に設置されていることが望ましい。
【００１９】
このような天井構造によれば、天井裏の限られた狭いスペースであっても天井材に沿うように配置してより耐震性に優れた天井構造を提供することが可能である。
【発明の効果】
【００２０】
本発明によれば、より優れた耐震性を備える天井構造を提供することが可能である。
【図面の簡単な説明】
【００２１】
【図１】第１実施形態の天井構造を示す概略平面図である。
【図２】第１実施形態の天井構造を示す概略側面図である。
【図３】図３（ａ）は、第１実施形態の制震装置を示す概略平面図であり、図３（ｂ）は、第１実施形態の制震装置を示す概略側面図である。
【図４】空調装置側から４番目の挿通孔に固定された固定ボルトにより連結したときの天井材と空調装置との相対変位による回転ダンパーの回転量を示す概略平面図である。
【図５】空調装置側から２番目の挿通孔に固定された固定ボルトにより連結したときの天井材と空調装置との相対変位による回転ダンパーの回転量を示す概略平面図である。
【図６】図６（ａ）は、第１実施形態の天井構造の変形例を示す概略平面図であり、図６（ｂ）は、第１実施形態の天井構造の変形例を示す概略側面図である。
【図７】回転ダンパーを重ねて設けた例を示す概略側面図である。
【図８】図８（ａ）は、第２実施形態の天井構造を示す概略平面図であり、図８（ｂ）は、第２実施形態の天井構造を示す概略側面図である。
【発明を実施するための形態】
【００２２】
以下、天井構造の実施形態について図を用いて詳細に説明する。
【００２３】
第１実施形態の天井構造１は、図１、図２に示すように、上層の構造躯体２から吊り下げて支持された質量体としての空調装置３が、構造躯体２から吊り下げて支持された天井材４に設けられた開口４ａに配置されており、天井材４と空調装置３とが回転ダンパー５１を備えた制震装置５により連結されている。
【００２４】
天井裏には、水平方向において縦横に格子状に設けられた枠部材６が上層の構造躯体２から垂設された天井用吊りボルト２ａにより吊り下げられており、枠部材６の下に板状の天井材４が設けられている。天井材４には、天井カセット型の空調装置３を設置するための矩形状の開口４ａが設けられている。
【００２５】
空調装置３は、平面視略正方形状の直方体をなす本体部３１と、本体部３１の下面側に設けられ本体部３１が天井材４の開口４ａに配置されたときに、開口４ａを下から覆うカバー部３２とを有している。天井材４の開口４ａは、本体部３１の外形寸法より大きく、カバー部３２の外形寸法より小さく形成されている。
【００２６】
本体部３１には、上層の構造躯体２から垂設された空調用吊りボルト２ｂが螺合されて、空調装置３が構造躯体２から吊り下げられている。空調用吊りボルト２ｂにより吊り下げられた状態で、本体部３１が開口４ａの内側に配置され、本体部３１の側面と天井材４の開口４ａの縁とは間隔が空けられている。このとき、空調装置３のカバー部３２により開口４ａが天井材４の下から覆われており、本体部３１の側面と天井材４の開口４ａの縁との隙間も隠されている。
【００２７】
本体部３１の側部にはそれぞれ、本体部３１を囲むように断面Ｌ字状のアングル材３３が設けられており、アングル材３３のＬ字をなす一方の縦板部３３ａが本体部３１の各側面と対向して配置され、縦板部３３ａの下側の縁から水平方向外側に横板部３３ｂが延出されている。アングル材３３は、本体部３１の四周を囲み、枠状をなしている。
【００２８】
制震装置５は、四周を囲むアングル材３３のうちの、平行に配置される２本のアングル材３３の横板部３３ｂにおける両端部側に設けられている台座部３４の各々と天井材４との間を連結するように４箇所に設けられている。
【００２９】
４箇所に設けられた制震装置５は、図３に示すように、台座部３４に固定され減衰材としてのオイルが充填されたケース５１ａと、ケース５１ａ内に回転自在に収容された円盤状の回転体５１ｂと、を備えた回転ダンパー５１を有している。ケース５１ａには外周部に、台座部３４に固定される台座固定部５１ｃが設けられている。尚、図においてはケース５１ａの一部を省略して内部構造を示している。
【００３０】
回転体５１ｂには中央に矩形状の開口５１ｄが設けられており、断面が矩形状をなす回転軸５２が固定されてケース５１ａ外に突出されている。突出された回転軸５２には、平板状をなし所定方向に長く形成された軸側連結体５３が、回転軸５２と軸側連結体５３の平面とが直交するように固定されている。軸側連結体５３には、長手方向に沿って長孔５３ａが形成されている。軸側連結体５３の長孔５３ａには、天井材４側に設けられ、後述する固定ボルト５４が挿通されて、制震装置５と天井材４とが連結されている。第１実施形態では、回転体５１ｂ、回転軸５２および軸側連結体５３が第１部材に相当し、ケース５１ａが第２部材に相当する。また、固定ボルト５４が長孔５３ａに挿通されて軸側連結体５３が回転可能に連結された部位が天井材連結部に相当し、ケース５１ａが台座部３４に固着されて連結されている部位が質量体連結部に相当する。
【００３１】
第１実施形態の制震装置５は、空調装置３と天井材４とが地震等により相対変位したときには、軸側連結体５３は、固定ボルト５４が軸側連結体５３の長孔５３ａ内を相対移動しつつ、回転ダンパー５１に挿通された回転軸５２を中心に回転する。このとき、軸側連結体５３と一体となって回転ダンパー５１の回転体５１ｂが回転することにより回転ダンパー５１による減衰力が発生する。
【００３２】
天井材４の上面には、軸側連結体５３の長孔５３ａに挿通される固定ボルト５４が固定されるボルト固定部材５５が設けられている。ボルト固定部材５５は、天井材４の上面と間隔を空けて対面し、所定方向に長く形成されたボルト固定板部５５ａと、ボルト固定板部５５ａの短手方向における両縁から垂設され、その下端が互いに対向する側と反体側にそれぞれ延出されて天井材４と対面するフランジ部５５ｂとを有している。ボルト固定板部５５ａには、固定ボルト５４を挿通可能な挿通孔５５ｃが長手方向に沿い、互いに適宜間隔を空けて複数設けられている。平面図においては、フランジ部５５ｂを省略して示している。
【００３３】
ボルト固定板部５５ａに設けられた複数の挿通孔５５ｃの１つには、天井材４側から固定ボルト５４が挿通され、上方からナット５６により締め付けられて、ねじ部５４ａが上方に突出するように固定されている。上方に向かって突出された固定ボルト５４は、軸側連結体５３の長孔５３ａに挿通され、固定ボルト５４の上端側にナット５７が螺合されて連結されている。このとき、固定ボルト５４には、軸側連結体５３の厚みより長いスリーブ状のスペーサー(不図示)が挿通されており、ナット５７を締め込んでも軸側連結体５３が回転可能に構成されている。また、スペーサーの直径は長孔５３ａの短手方向の幅より小さく形成されている。
【００３４】
制震装置５は、空調装置３が構造躯体２から吊り下げられ天井材４に形成された開口４ａの中央に配置され、回転ダンパー５１が台座部３４に固定された状態で、軸側連結体５３の長手方向とボルト固定部材５５の長手方向とが重なるとともに、回転ダンパー５１が固定された台座部３４を備えたアングル材３３と４５度の角度をなすように配置されている。このとき、空調装置３に取り付けられる４つの制震装置５が有する軸側連結体５３及びボルト固定部材５５がほぼ放射状に延びるように配置され、かつ、軸側連結体５３とボルト固定部材５５のボルト固定板部５５ａとが天井材４とほぼ平行、すなわち水平方向に沿って配置されている。
【００３５】
第１実施形態の制震装置５は、ボルト固定部材５５に設けられた複数の挿通孔５５ｃにおける、軸側連結体５３が連結される固定ボルト５４の位置により、発生する減衰力が相違する。
【００３６】
より具体的には、軸側連結体５３の長手方向とボルト固定部材５５の長手方向とが同方向に沿って配置され、軸側連結体５３と天井材４とは空調装置３側から４番目の挿通孔５５ｃに固定された固定ボルト５４により連結して設置された状態で、地震等により天井材４が空調装置３に対して、図４に示すように相対変位したとする。このとき、固定ボルト５４により軸側連結体５３は回転ダンパー５１の回転軸５２を中心に回転し、設置された状態から軸側連結体５３が角度Ａ回転する。このとき、軸側連結体５３と一体をなす回転体５１ｂが回転して、回転量に対応する減衰力が発生する。
【００３７】
次に、軸側連結体５３と天井材４とが空調装置３側から２番目の挿通孔５５ｃに固定された固定ボルト５４により連結して設置された状態で、地震等により天井材４が空調装置３に対して、図４と同様に相対変位したとする。このとき、固定ボルト５４により軸側連結体５３は回転ダンパー５１の回転軸５２を中心に回転し、図５に示すように設置された状態から軸側連結体５３が角度Ａより大きく角度Ｂ回転する。このとき、空調装置３側から２番目の挿通孔５５ｃに固定された固定ボルト５４により連結された場合の方が、大きく回転し大きな減衰力が発生する。
【００３８】
このように、第１実施形態の制震装置５は、軸側連結体５３と天井材４とが、より空調装置３側の挿通孔５５ｃに固定された固定ボルト５４により連結されると、より大きな減衰力を発生し、より空調装置３と反対側の挿通孔５５ｃに固定された固定ボルト５４により連結されると、より小さな減衰力を発生するように構成されている。このため、軸側連結体５３と天井材４とを連結する固定ボルト５４の位置を、ボルト固定部材５５に設けられている複数の挿通孔５５ｃのいずれかに差し替えて変更することにより、発生する減衰力を調節することが可能である。
【００３９】
このため、天井連結部となる固定ボルト５４と回転動作の回転中心となる回転軸５２との間隔を調節すると、入力された振動により生じる回転動作に伴って振動を抑制する制振装置５が備える回転ダンパー５１の回転量を調節することが可能である。このため、空調装置３と天井材４との間に介在された制振装置５により振動の減衰力を適切に調節することが可能である。そして、より優れた耐震性を備える天井構造１を提供することが可能である。
【００４０】
また、質量体連結部となる回転ダンパー５１のケース５１ａと台座部３４とを固着し、天井連結部となる固定ボルト５４と軸側連結体５３との連結部をスライド可能かつ回転可能に連結したので、振動により生じる回転動作を確実に回転ダンパー５１の回転として減衰力を発生させることが可能である。
【００４１】
また、回転自在に軸側連結体５３と連結された固定ボルト５４は、軸側連結体５３の長孔５３ａに沿ってスライドするので、固定ボルト５４と軸側連結体５３とを滑らかに相対移動させて効率良く回転ダンパー５１の減衰力に変換することが可能である。
【００４２】
上記実施形態においては、回転ダンパー５１のケース５１ａを台座部３４に直に固定し、回転体５１ｂ側に設けられた軸側連結体５３とボルト固定部材５５との連結部のみ調整可能としたが、これに限るものではない。例えば、図６に示すように、ケース５１ａを所定方向に長いケース側連結体５８に固定し、台座部３４の天井材４側から挿通された固定ボルト５４にケース側連結体５８を回転自在に連結しても良い。この場合には、例えば、第１連結体としての軸側連結体５３及び第２連結体としてのケース側連結体５８の各々に固定ボルト５４が挿通される固定孔５３ｂ、５８ａを、長手方向に沿い適宜間隔を空けて複数備えておき、固定ボルト５４を挿通する位置を変更することにより、固定ボルト５４と回転軸５２との間隔を変更可能に構成しておく。これにより、固定ボルト５４と回転軸５２との間隔を変更させて、地震等により天井材４と空調装置３とが相対変位した際に回転ダンパー５１が回転する角度を変更することが可能である。本実施形態では、回転体５１ｂ、回転軸５２および軸側連結体５３が第１部材に相当し、ケース５１ａおよびケース側連結体５８が第２部材に相当する。また、軸側連結体５３が固定ボルト５４に回転可能に連結された部位が天井材連結部に相当し、ケース側連結体５８が台座部３４に回転可能に連結されている部位が質量体連結部に相当する。
【００４３】
また、本実施形態の制震装置５は、ボルト固定部材５５における固定ボルト５４の位置を変更することによっても、設置された状態における軸側連結体５３とケース側連結体５８とがなす角度を調節することができる。このため、より精度良く減衰力を調節することが可能である。
【００４４】
また、図７に示すように、回転ダンパー５１を単一の回転軸５２に複数挿通させると共に各ケース５１ａを固定することにより、同一の回転量であってもより大きな減衰力を発生させることが可能である。
【００４５】
第１実施形態においては、制震装置５が回転ダンパー５１を備えている例について説明したが、これに限らず、例えば、図８に示すように、ピストン７１とシリンダー７２との間に減衰材をなすオイルが充填された直動ダンパー７を備えた天井構造１であっても構わない。直動ダンパー７を備えた天井構造１を第２実施形態として説明する。
【００４６】
第２実施形態の天井構造１は、第１実施形態における軸側連結体５３の、回転体５１ｂと回転軸５２にて繋がっていた側の端部を台座部３４に直接回転自在に連結し、ボルト固定部材５５に固定された固定ボルト５４を長孔５３ａに挿通させてねじ部を上方に突出させる。軸側連結体５３には、直動ダンパー７の直動方向を軸側連結体５３の長手方向に沿わせて配置し、シリンダー７２側の端部を軸側連結体５３に固着し、ピストン７１側の端部にブラケット５９を介して固定ボルト５４に回転自在に連結する。
【００４７】
第２実施形態の制震装置５も、ボルト固定部材５５に設けられた複数の挿通孔５５ｃにおける、軸側連結体５３が連結される固定ボルト５４の位置により、発生する減衰力が相違する。
【００４８】
軸側連結体５３の長手方向とボルト固定部材５５の長手方向とが同方向に沿って配置され、軸側連結体５３と天井材４とは空調装置３と反対側から２番目の挿通孔５５ｃに固定された固定ボルト５４により連結して設置された状態で、地震等により天井材４が空調装置３に対して、図８に示すように相対変位したとする。このとき、固定ボルト５４により軸側連結体５３は台座部３４との連結部を中心に回転し、設置された状態から軸側連結体５３が角度Ｃ回転する。このとき、軸側連結体５３に設けられている直動ダンパー７のピストン７１がシリンダー７２に対して伸縮し、直動ダンパー７の伸縮量に対応する減衰力が発生する。
【００４９】
このとき、軸側連結体５３が連結される固定ボルト５４の位置により、軸側連結体５３が回転する角度が相違し、角度の相違に伴って直動ダンパー７の伸縮量が変化する。このため、軸側連結体５３と天井材４とを連結する固定ボルト５４の位置を、ボルト固定部材５５に設けられている複数の挿通孔５５ｃのいずれかに差し替えて変更することにより、発生する減衰力を調節することが可能である。第２実施形態では、固定ボルト５４に取り付けられたブラケット５９が第１部材に相当し、軸側連結体５３が第２部材に相当する。また、固定ボルト５４に取り付けられたブラケット５９がスライド及び回転可能に連結されている部位が天井材連結部に相当し、軸側連結体５３が台座部３４に回転可能に連結された部位が質量体連結部に相当する。
【００５０】
第２実施形態の天井構造１によれば、軸側連結体５３の一方の端部を、回転中心となるべく回転自在に台座部３４に直接連結し、ボルト固定部材５５側はスライド可能に連結しているので、固定ボルト５４に設けられたブラケット５９がスライドすることにより、振動により生じる回転動作にて確実に直動ダンパー７を作動させて減衰力を発生させることが可能である。
【００５１】
また、天井材４側の連結部をなす固定ボルト５４の移動を効率良く直動ダンパー７の減衰力に変換することが可能である。
【００５２】
また、回転自在に軸側連結体５３と連結された固定ボルト５４が軸側連結体５３の長孔５３ａに沿ってスライドするので、固定ボルト５４と軸側連結体５３との相対移動を効率良く直動ダンパー７の減衰力に変換することが可能である。
【００５３】
また、直動ダンパー７を、固定ボルト５４と台座部３４側の連結部とを繋ぐ方向と交差する方向に複数並べることにより、より大きな減衰力を備えることが可能である。
【００５４】
また、制震装置５は、軸側連結体５３及びボルト固定部材５５を天井材４とほぼ平行となる水平方向に沿って配置されているので、天井裏の限られた狭いスペースであっても、より耐震性に優れた天井構造１を容易に配置することが可能である。
【００５５】
上記実施形態においては、質量体を空調装置３としているが、これに限らず、質量体を、例えば、音響機器や照明機器等としてもよい。
【００５６】
また、上記実施形態においては、１つの空調装置３に対して４つの制震装置５を設けているが、制震装置５の数はこれに限るものではない。
【００５７】
上記実施形態においては、制震装置５を減衰材としてオイルを用いたオイルダンパーとした例について説明したが、これに限らず、例えば、ガスダンパー、摩擦ダンパー、或いはこれらを組み合わせたもの等であっても構わない。
【００５８】
また、上記実施形態においては、回転ダンパー５１が台座部３４に固定された状態で、軸側連結体５３及びボルト固定部材５５の長手方向が、アングル材３３と４５度の角度をなすように配置されている例について説明したが、これに限らず、軸側連結体５３及びボルト固定部材５５の長手方向とアングル材３３とがなす角度は４５度以外の角度であっても構わない。
【００５９】
また、上記実施形態においては、制震装置５を天井材４に沿うように配置した例について説明したが、これに限らず、天井材と所定角度をなすように設けても構わない。
【００６０】
また、上記実施形態においては、天井連結部側をスライド可能な構成としたが、質量体連結部側をスライド可能な構成としても構わない。
【００６１】
以上、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６２】
１  天井構造、２  構造躯体、３  空調装置（質量体）、４  天井材、５  制震装置、
７  直動ダンパー、３４  台座部、５１  回転ダンパー、５１ａ  ケース（第２部材）、
５１ｂ  回転体、５２  回転軸、５３  軸側連結体、５３ａ  長孔、
５８  ケース側連結体、５９  ブラケット
【図１】
0006680063.tif 000002
【図２】
0006680063.tif 000003
【図３】
0006680063.tif 000004
【図４】
0006680063.tif 000005
【図５】
0006680063.tif 000006
【図６】
0006680063.tif 000007
【図７】
0006680063.tif 000008
【図８】
0006680063.tif 000009